(57)【要約】【課題】一般カードの現在プリペイド残高の精算作業及び現在持玉数の貯玉作業に要する作業負担を大幅に軽減する。【解決手段】現在プリペイド残高数及び現在持玉数に関わるカードＩＤを記録した一般カードを検出すると、現在プリペイド残高数を精算する残高精算部２２を有するカード精算機１０であって、所定操作に応じて携帯電話機１８０のＩＤｍを取得する携帯用リーダライタ部１３と、一般カード保有者の携帯電話機１８０のＩＤｍに対応した管理装置側で貯蓄中の貯玉数に対する、一般カードの現在持玉数の加算更新を管理装置に指示する貯玉更新指示部２７とを有している。【選択図】図４
2010131183.tif 000002
【特許請求の範囲】
【請求項１】
現在有価残高数を特定可能な有価残高情報及び、現在保有遊技媒体数を特定可能な保有遊技媒体数情報を記録した遊技用記録媒体を検出すると、前記遊技用記録媒体に記録された前記有価残高情報に基づき、前記現在有価残高数を精算する有価残高精算部を有する遊技用記録媒体処理装置であって、
所定操作に応じて携帯媒体の携帯媒体識別情報を取得する携帯媒体識別情報取得部と、
前記遊技用記録媒体に記録された前記保有遊技媒体数情報に基づき、前記携帯媒体識別情報取得部にて取得した前記携帯媒体識別情報に対応した貯蓄中の貯蓄遊技媒体数に対する、前記現在保有遊技媒体数の加算更新を指示する貯蓄媒体数更新指示部と
を有することを特徴とする遊技用記録媒体処理装置。
【請求項２】
前記貯蓄媒体数更新指示部は、
前記携帯媒体識別情報取得部にて取得した前記携帯媒体識別情報が会員情報として登録されているか否かを判定する会員情報判定部と、
前記会員情報判定部にて前記携帯媒体識別情報が会員情報として登録されていると判定された場合、設定中の貯蓄上限数と比較して、前記現在保有遊技媒体数を貯蓄可能であるか否かを判定する貯蓄可否判定部とを有し、
前記貯蓄可否判定部にて前記現在保有遊技媒体数が貯蓄可能であると判定されると、前記携帯媒体識別情報に対応した貯蓄中の貯蓄遊技媒体数に対して、前記現在保有遊技媒体数の加算更新を指示することを特徴とする請求項１記載の遊技用記録媒体処理装置。
【請求項３】
前記貯蓄媒体数更新指示部は、
前記携帯媒体識別情報取得部にて前記遊技用記録媒体の保有者に関わる前記携帯媒体の前記携帯媒体識別情報を取得すると、前記携帯媒体識別情報に対応した会員情報があるか否かを判定する会員情報判定部を有し、
前記会員情報判定部にて前記携帯媒体識別情報に対応した前記会員情報がない場合、前記携帯媒体識別情報を新規の会員情報とし、この携帯媒体識別情報に対応付けて、前記現在保有遊技媒体数を前記貯蓄遊技媒体数として登録指示することを特徴とする請求項１記載の遊技用記録媒体処理装置。
【請求項４】
前記携帯媒体を使用する現在保有遊技媒体数の貯蓄起動操作を検出した場合、前記携帯媒体の前記所定操作をガイダンス表示するガイダンス表示部を有することを特徴とする請求項１〜３の何れか一に記載の遊技用記録媒体処理装置。
【請求項５】
前記携帯媒体識別情報取得部にて前記遊技用記録媒体の保有者に関わる前記携帯媒体の携帯媒体識別情報を取得しなかった場合、前記有価残高精算部にて前記現在有価残高数を精算した後、前記遊技用記録媒体を返却する記録媒体返却部を有することを特徴とする請求項２〜４の何れか一に記載の遊技用記録媒体処理装置。
【請求項６】
前記貯蓄媒体数更新指示部からの加算更新指示に対して、加算更新が実行されなかった場合、前記有価残高精算部にて前記現在有価残高数を精算した後、前記遊技用記録媒体を返却する記録媒体返却部を有することを特徴とする請求項２〜４の何れか一に記載の遊技用記録媒体処理装置。
【請求項７】
前記携帯媒体の携帯媒体識別情報に対応した前記保有者が貯蓄中の前記貯蓄遊技媒体数を更新する携帯貯蓄更新モードを有効又は無効設定するモード設定部と、
前記モード設定部にて前記携帯貯蓄更新モードを有効設定した場合、前記携帯媒体識別情報取得部での前記携帯媒体の前記所定操作を受け付けると共に、前記モード設定部にて前記携帯貯蓄更新モードを無効設定した場合、前記携帯媒体識別情報取得部での前記携帯媒体の前記所定操作の受付を禁止する受付制御部と
を有することを特徴とする請求項２〜６の何れか一に記載の遊技用記録媒体処理装置。
【請求項８】
前記受付制御部にて前記携帯媒体識別情報取得部での前記携帯媒体の前記所定操作の受付を禁止した場合、前記有価残高精算部にて前記現在有価残高数を精算した後、前記遊技用記録媒体を返却する記録媒体返却部を有することを特徴とする請求項７記載の遊技用記録媒体処理装置。
【請求項９】
前記携帯媒体は、
携帯電話機に相当することを特徴とする請求項１〜８の何れか一に記載の遊技用記録媒体処理装置。
【請求項１０】
現在有価残高数を特定可能な有価残高情報及び、現在保有遊技媒体数を特定可能な保有遊技媒体数情報を記録した遊技用記録媒体を検出すると、前記遊技用記録媒体に記録された前記有価残高情報に基づき、前記現在有価残高数を精算する有価残高精算ステップと、
所定操作に応じて携帯媒体の携帯媒体識別情報を取得する携帯媒体識別情報取得ステップと、
前記遊技用記録媒体に記録された前記保有遊技媒体数情報に基づき、前記携帯媒体識別情報取得ステップにて取得した前記携帯媒体識別情報に対応した貯蓄中の貯蓄遊技媒体数に対する、前記現在保有遊技媒体数の加算更新を指示する貯蓄媒体数更新指示ステップと
を含むことを特徴とする遊技用記録媒体処理方法。
【請求項１１】
現在有価残高数を特定可能な有価残高情報及び、現在保有遊技媒体数を特定可能な保有遊技媒体数情報を記録した遊技用記録媒体を検出すると、前記遊技用記録媒体に記録された前記有価残高情報に基づき、前記現在有価残高数を精算する有価残高精算部を有する遊技用記録媒体処理装置と、前記遊技用記録媒体処理装置と通信可能に接続する管理装置とを有する遊技媒体管理システムであって、
前記遊技用記録媒体処理装置は、
所定操作に応じて携帯媒体の携帯媒体識別情報を取得する携帯媒体識別情報取得部と、
前記遊技用記録媒体に記録された前記保有遊技媒体数情報に基づき、前記携帯媒体識別情報取得部にて取得した前記携帯媒体識別情報に対応した貯蓄中の貯蓄遊技媒体数に対する、前記現在保有遊技媒体数の加算更新を指示する貯蓄媒体数更新指示部と
を有し、
前記管理装置は、
前記遊技用記録媒体処理装置からの前記指示に基づく、加算更新が可能であるか否かを判定する加算更新判定部と、
前記加算更新判定部により、加算更新が可能であると判定されると、前記携帯媒体の前記携帯媒体識別情報に対応した貯蓄中の貯蓄遊技媒体数に対する、前記現在保有遊技媒体数の加算更新を実行する貯蓄媒体数更新制御部と
を有することを特徴とする遊技媒体管理システム。
【請求項１２】
現在有価残高数を特定可能な有価残高情報及び、現在保有遊技媒体数を特定可能な保有遊技媒体数情報を記録した遊技用記録媒体を検出すると、前記遊技用記録媒体に記録された前記有価残高情報に基づき、前記現在有価残高数を精算する有価残高精算部を有する遊技用記録媒体処理装置と、前記遊技用記録媒体処理装置と通信可能に接続する管理装置とを有する遊技媒体管理システムであって、
所定操作に応じて携帯媒体の携帯媒体識別情報を取得する携帯媒体識別情報取得部と、
前記携帯媒体識別情報取得部にて前記遊技用記録媒体の保有者に関わる前記携帯媒体の前記携帯媒体識別情報を取得すると、前記携帯媒体識別情報に対応した会員情報が前記管理装置内にあるか否かを判定する会員情報判定部と、
前記会員情報判定部にて前記携帯媒体識別情報に対応した会員情報がある場合、前記携帯媒体識別情報に対応した前記管理装置に貯蓄中の貯蓄遊技媒体数及び、設定中の貯蓄上限数に基づき、貯蓄可能遊技媒体数を算出する貯蓄可能遊技媒体数算出部と、
前記現在保有遊技媒体数が、前記貯蓄可能遊技媒体数算出部にて算出した前記貯蓄可能遊技媒体数以内であるか否かを判定する貯蓄可能媒体数判定部と、
前記貯蓄可能媒体数判定部にて前記現在保有遊技媒体数が前記貯蓄可能遊技媒体数以内の場合、前記現在保有遊技媒体数の加算更新を前記管理装置に指示すると共に、前記貯蓄可能媒体数判定部にて前記現在保有遊技媒体数が前記貯蓄可能遊技媒体数以内でない場合、前記現在保有遊技媒体数の加算更新に関わる前記管理装置への指示を禁止する貯蓄媒体数更新指示部と
を有し、
前記管理装置は、
前記貯蓄媒体数更新指示部からの前記現在保有遊技媒体数の加算更新の指示を検出すると、前記携帯媒体の前記携帯媒体識別情報に対応した貯蓄中の貯蓄遊技媒体数に対する、前記現在保有遊技媒体数の加算更新を実行する貯蓄媒体数更新制御部を有することを特徴とする遊技媒体管理システム。
【発明の詳細な説明】
【技術分野】
【０００１】
本発明は、遊技店内の遊技台に使用する遊技用記録媒体に記録された現在有価残高を精算する精算機等の遊技用記録媒体処理装置、遊技用記録媒体処理方法及び遊技媒体管理システムに関する。
【背景技術】
【０００２】
遊技客の個人情報を用いて遊技店に会員登録された会員と、遊技客の携帯電話機を用いて遊技店に仮登録された仮会員との貯玉情報を管理し、各会員及び各仮会員に対して貯玉情報を利用した再プレイサービスを提供する携帯貯玉システムが知られている（例えば、特許文献１参照）。
【０００３】
特許文献１のシステムでは、会員カードが発行されていない遊技客であっても、玉計数機のリーダライタ部に遊技客の携帯電話機をタッチ操作することで、携帯電話機内部のＩＣチップの製造番号（以下、単にＩＤｍと称する）に対応付けて遊技客を仮会員登録し、遊技店内のカウンタに赴かなくても、その持玉を貯玉することができる。
【０００４】
さらに、特許文献１のシステムでは、再プレイ機のリーダライタ部に遊技客の携帯電話機をタッチ操作することで、貯玉から持玉を引き出して再プレイが行うことができる。
【０００５】
また、近年、遊技店では、島端等に配置される玉計数機での玉計数を不要化する観点から、各遊技台に併設される台間機が玉計数機能を有し、この玉計数機能で獲得玉数を計数し、その計数結果を持玉として記憶管理し、持玉数範囲内で再プレイを行うことができる各台計数システムが知られている（例えば、特許文献２参照）。
【０００６】
特許文献２のシステムでは、プリペイドカード等の一般カードを使用した遊技台のプレイ終了時に、現在のプリペイド残高に関わるプリペイド残高情報と、現在持玉数に関わる持玉数情報とを記録した一般カードを遊技客に返却するものである。尚、一般カードとは、非会員の遊技客が使用する一般のプリペイドカード、これに対して、会員カードとは、遊技店に会員登録した遊技客が使用するプリペイド一体型会員カードに相当するものである。
【０００７】
【特許文献１】特開２００８−１９４１６８号公報
【特許文献２】特開２００７−２２９１１１号公報
【発明の開示】
【発明が解決しようとする課題】
【０００８】
しかしながら、特許文献１の携帯貯玉システム及び特許文献２の各台計数システム両方を導入した場合、遊技台のプレイ終了時にプリペイド残高情報及び持玉数情報を記録した一般カードを台間機から返却することになるが、遊技客が一般カードの現在プリペイド残高を精算、さらに、一般カードの現在持玉数を携帯電話機のＩＤｍに対応付けて貯玉する場合、先ず、遊技客は、一般カードの現在プリペイド残高をカード精算機で精算した後、遊技店内のカウンタに赴き、オペレータ側の操作で、一般カードの現在持玉を携帯電話機のＩＤｍに対応付けて貯玉することになるため、一般カードの場合には貯玉作業に非常に手間がかかる。特に、閉店間際になると、遊技を終えた遊技客がカード精算機やカウンタに行列を作るため、両方に並ばなければならないというのは不便である。
【０００９】
本発明は上記点に鑑みてなされたものであり、その目的とするところは、遊技用記録媒体の現在プリペイド残高数（現在有価残高数）の精算作業及び現在持玉（現在保有遊技媒体）の貯蓄作業に要する作業負担を大幅に軽減することができる遊技用記録媒体処理装置、遊技用記録媒体処理方法及び遊技媒体管理システムを提供することにある。
【課題を解決するための手段】
【００１０】
上記目的を達成するために本発明の遊技用記録媒体処理装置は、現在有価残高数を特定可能な有価残高情報及び、現在保有遊技媒体数を特定可能な保有遊技媒体数情報を記録した遊技用記録媒体を検出すると、前記遊技用記録媒体に記録された前記有価残高情報に基づき、前記現在有価残高数を精算する有価残高精算部を有する遊技用記録媒体処理装置であって、所定操作に応じて携帯媒体の携帯媒体識別情報を取得する携帯媒体識別情報取得部と、前記遊技用記録媒体に記録された前記保有遊技媒体数情報に基づき、前記携帯媒体識別情報取得部にて取得した前記携帯媒体識別情報に対応した貯蓄中の貯蓄遊技媒体数に対する、前記現在保有遊技媒体数の加算更新を指示する貯蓄媒体数更新指示部とを有することを要件とする。
【００１１】
また、本発明の遊技用記録媒体処理装置は、上記発明の構成において、前記貯蓄媒体数更新指示部は、前記携帯媒体識別情報取得部にて取得した前記携帯媒体識別情報が会員情報として登録されているか否かを判定する会員情報判定部と、前記会員情報判定部にて前記携帯媒体識別情報が会員情報として登録されていると判定された場合、設定中の貯蓄上限数と比較して、前記現在保有遊技媒体数を貯蓄可能であるか否かを判定する貯蓄可否判定部とを有し、前記貯蓄可否判定部にて前記現在保有遊技媒体数が貯蓄可能であると判定されると、前記携帯媒体識別情報に対応した貯蓄中の貯蓄遊技媒体数に対して、前記現在保有遊技媒体数の加算更新を指示することを要件とする。
【００１２】
また、本発明の遊技用記録媒体処理装置は、上記発明の構成において、前記貯蓄媒体数更新指示部は、前記携帯媒体識別情報取得部にて前記遊技用記録媒体の保有者に関わる前記携帯媒体の前記携帯媒体識別情報を取得すると、前記携帯媒体識別情報に対応した会員情報があるか否かを判定する会員情報判定部を有し、前記会員情報判定部にて前記携帯媒体識別情報に対応した前記会員情報がない場合、前記携帯媒体識別情報を新規の会員情報とし、この携帯媒体識別情報に対応付けて、前記現在保有遊技媒体数を前記貯蓄遊技媒体数として登録指示することを要件とする。
【００１３】
また、本発明の遊技用記録媒体処理装置は、上記発明の構成において、前記携帯媒体を使用する現在保有遊技媒体数の貯蓄起動操作を検出した場合、前記携帯媒体の前記所定操作をガイダンス表示するガイダンス表示部を有することを要件とする。
【００１４】
また、本発明の遊技用記録媒体処理装置は、上記発明の構成において、前記携帯媒体識別情報取得部にて前記遊技用記録媒体の保有者に関わる前記携帯媒体の携帯媒体識別情報を取得しなかった場合、前記有価残高精算部にて前記現在有価残高数を精算した後、前記遊技用記録媒体を返却する記録媒体返却部を有することを要件とする。
【００１５】
また、本発明の遊技用記録媒体処理装置は、上記発明の構成において、前記貯蓄媒体数更新指示部からの加算更新指示に対して、加算更新が実行されなかった場合、前記有価残高精算部にて前記現在有価残高数を精算した後、前記遊技用記録媒体を返却する記録媒体返却部を有することを要件とする。
【００１６】
また、本発明の遊技用記録媒体処理装置は、上記発明の構成において、前記携帯媒体の携帯媒体識別情報に対応した前記保有者が貯蓄中の前記貯蓄遊技媒体数を更新する携帯貯蓄更新モードを有効又は無効設定するモード設定部と、前記モード設定部にて前記携帯貯蓄更新モードを有効設定した場合、前記携帯媒体識別情報取得部での前記携帯媒体の前記所定操作を受け付けると共に、前記モード設定部にて前記携帯貯蓄更新モードを無効設定した場合、前記携帯媒体識別情報取得部での前記携帯媒体の前記所定操作の受付を禁止する受付制御部とを有することを要件とする。
【００１７】
また、本発明の遊技用記録媒体処理装置は、上記発明の構成において、前記受付制御部にて前記携帯媒体識別情報取得部での前記携帯媒体の前記所定操作の受付を禁止した場合、前記有価残高精算部にて前記現在有価残高数を精算した後、前記遊技用記録媒体を返却する記録媒体返却部を有することを要件とする。
【００１８】
また、本発明の遊技用記録媒体処理装置は、上記発明の構成において、前記携帯媒体は、携帯電話機に相当することを要件とする。
【００１９】
また、上記目的を達成するために本発明の遊技用記録媒体処理方法は、現在有価残高数を特定可能な有価残高情報及び、現在保有遊技媒体数を特定可能な保有遊技媒体数情報を記録した遊技用記録媒体を検出すると、前記遊技用記録媒体に記録された前記有価残高情報に基づき、前記現在有価残高数を精算する有価残高精算ステップと、所定操作に応じて携帯媒体の携帯媒体識別情報を取得する携帯媒体識別情報取得ステップと、前記遊技用記録媒体に記録された前記保有遊技媒体数情報に基づき、前記携帯媒体識別情報取得ステップにて取得した前記携帯媒体識別情報に対応した貯蓄中の貯蓄遊技媒体数に対する、前記現在保有遊技媒体数の加算更新を指示する貯蓄媒体数更新指示ステップとを含むことを要件とする。
【００２０】
上記目的を達成するために本発明の遊技媒体管理システムは、現在有価残高数を特定可能な有価残高情報及び、現在保有遊技媒体数を特定可能な保有遊技媒体数情報を記録した遊技用記録媒体を検出すると、前記遊技用記録媒体に記録された前記有価残高情報に基づき、前記現在有価残高数を精算する有価残高精算部を有する遊技用記録媒体処理装置と、前記遊技用記録媒体処理装置と通信可能に接続する管理装置とを有する遊技媒体管理システムであって、前記遊技用記録媒体処理装置は、所定操作に応じて携帯媒体の携帯媒体識別情報を取得する携帯媒体識別情報取得部と、前記遊技用記録媒体に記録された前記保有遊技媒体数情報に基づき、前記携帯媒体識別情報取得部にて取得した前記携帯媒体識別情報に対応した貯蓄中の貯蓄遊技媒体数に対する、前記現在保有遊技媒体数の加算更新を指示する貯蓄媒体数更新指示部とを有し、前記管理装置は、前記遊技用記録媒体処理装置からの前記指示に基づく、加算更新が可能であるか否かを判定する加算更新判定部と、前記加算更新判定部により、加算更新が可能であると判定されると、前記携帯媒体の前記携帯媒体識別情報に対応した貯蓄中の貯蓄遊技媒体数に対する、前記現在保有遊技媒体数の加算更新を実行する貯蓄媒体数更新制御部とを有することを要件とする。
【００２１】
また、上記目的を達成するために本発明の遊技媒体管理システムは、現在有価残高数を特定可能な有価残高情報及び、現在保有遊技媒体数を特定可能な保有遊技媒体数情報を記録した遊技用記録媒体を検出すると、前記遊技用記録媒体に記録された前記有価残高情報に基づき、前記現在有価残高数を精算する有価残高精算部を有する遊技用記録媒体処理装置と、前記遊技用記録媒体処理装置と通信可能に接続する管理装置とを有する遊技媒体管理システムであって、所定操作に応じて携帯媒体の携帯媒体識別情報を取得する携帯媒体識別情報取得部と、前記携帯媒体識別情報取得部にて前記遊技用記録媒体の保有者に関わる前記携帯媒体の前記携帯媒体識別情報を取得すると、前記携帯媒体識別情報に対応した会員情報が前記管理装置内にあるか否かを判定する会員情報判定部と、前記会員情報判定部にて前記携帯媒体識別情報に対応した会員情報がある場合、前記携帯媒体識別情報に対応した前記管理装置に貯蓄中の貯蓄遊技媒体数及び、設定中の貯蓄上限数に基づき、貯蓄可能遊技媒体数を算出する貯蓄可能遊技媒体数算出部と、前記現在保有遊技媒体数が、前記貯蓄可能遊技媒体数算出部にて算出した前記貯蓄可能遊技媒体数以内であるか否かを判定する貯蓄可能媒体数判定部と、前記貯蓄可能媒体数判定部にて前記現在保有遊技媒体数が前記貯蓄可能遊技媒体数以内の場合、前記現在保有遊技媒体数の加算更新を前記管理装置に指示すると共に、前記貯蓄可能媒体数判定部にて前記現在保有遊技媒体数が前記貯蓄可能遊技媒体数以内でない場合、前記現在保有遊技媒体数の加算更新に関わる前記管理装置への指示を禁止する貯蓄媒体数更新指示部とを有し、前記管理装置は、前記貯蓄媒体数更新指示部からの前記現在保有遊技媒体数の加算更新の指示を検出すると、前記携帯媒体の前記携帯媒体識別情報に対応した貯蓄中の貯蓄遊技媒体数に対する、前記現在保有遊技媒体数の加算更新を実行する貯蓄媒体数更新制御部を有することを要件とする。
【発明の効果】
【００２２】
上記のように構成された本発明の遊技用記録媒体処理装置では、遊技用記録媒体の現在有価残高数を精算すると共に、携帯媒体の携帯媒体識別情報を取得し、前記携帯媒体識別情報に対応した貯蓄中の貯蓄遊技媒体数に対する、前記遊技用記録媒体の現在保有遊技媒体数の加算更新を指示するようにした。その結果、遊技客は、遊技用記録媒体の現在有価残高数の精算作業及び、現在保有遊技媒体数の貯蓄作業に要する作業負担を大幅に軽減することができるという効果を奏する。
【００２３】
また、本発明の遊技用記録媒体処理装置では、上記発明の効果において、携帯媒体識別情報が会員情報として登録され、設定中の貯蓄上限数と比較して、現在保有遊技媒体数を貯蓄可能である場合、前記携帯媒体識別情報に対応した貯蓄中の貯蓄遊技媒体数に対して、前記現在保有遊技媒体数の加算更新を指示するようにした。その結果、遊技客は、遊技媒体識別情報に対応した会員情報があって、現在保有遊技媒体数が貯蓄可能な場合、携帯媒体識別情報に対応した貯蓄中の貯蓄遊技媒体数に対する、現在保有遊技媒体数の加算更新を可能にしたという効果を奏する。
【００２４】
また、本発明の遊技用記録媒体処理装置では、上記発明の効果に加えて、携帯媒体識別情報に対応した会員情報がない場合、前記携帯媒体識別情報を新規の会員情報とし、この携帯媒体識別情報に対応付けて、前記現在保有遊技媒体数を前記貯蓄遊技媒体数として登録指示するようにしたので、管理装置側では、会員情報がない場合でも、新規に現在保有遊技媒体数を貯蓄遊技媒体数として登録することができるという効果を奏する。
【００２５】
また、本発明の遊技用記録媒体処理装置では、上記発明の効果に加えて、携帯端末を使用する現在保有遊技媒体数の貯蓄起動操作を検出した場合、携帯媒体の所定操作をガイダンス表示するようにしたので、遊技客は、所定操作ガイダンス表示に基づき、携帯媒体の携帯媒体識別情報の所定操作を円滑に行うことができるという効果を奏する。
【００２６】
また、本発明の遊技用記録媒体処理装置では、上記発明の効果に加えて、携帯媒体の携帯媒体識別情報を取得しなかった場合、有価残高精算部にて現在有価残高数を精算した後、前記遊技用記録媒体を返却するようにしたので、携帯媒体を保有しない遊技客に対しても精算作業を円滑に行うことができるという効果を奏する。
【００２７】
また、本発明の遊技用記録媒体処理装置では、上記発明の効果に加えて、貯蓄媒体数更新指示部からの加算更新指示に対して、加算更新が実行されなかった場合、有価残高精算部にて現在有価残高数を精算した後、前記遊技用記録媒体を返却するようにしたので、加算更新が実行されなかった遊技客に対しても精算作業を円滑に行うことができるという効果を奏する。
【００２８】
また、本発明の遊技用記録媒体処理装置では、上記発明の効果に加えて、携帯媒体の携帯媒体識別情報に対応した保有者が貯蓄中の貯蓄遊技媒体数を更新する携帯貯蓄更新モードを有効設定した場合、携帯媒体識別情報取得部での前記携帯媒体の所定操作を受け付けると共に、携帯貯蓄更新モードを無効設定した場合、前記携帯媒体識別情報取得部での前記携帯媒体の前記所定操作の受付を禁止するようにしたので、直ぐに携帯貯蓄更新モードを採用する遊技店だけでなく、何れ採用する予定の遊技店にも、通常の精算機能を備えた遊技用記録媒体処理装置として十分対応することができるという効果を奏する。
【００２９】
また、本発明の遊技用記録媒体処理装置では、上記発明の効果に加えて、携帯媒体識別情報取得部での携帯媒体の所定操作の受付を禁止した場合、有価残高精算部にて現在有価残高数を精算した後、遊技用記録媒体を返却するようにしたので、直ぐに携帯貯蓄更新モードを採用する遊技店だけでなく、何れ採用する予定の遊技店にも、通常の精算機能を備えた遊技用記録媒体処理装置として十分対応することができるという効果を奏する。
【００３０】
また、本発明の遊技用記録媒体処理装置では、上記発明の効果に加えて、前記携帯媒体は、携帯電話機に相当するようにしたので、携帯電話機を保有する遊技客は、遊技用記録媒体の現在有価残高数の精算作業及び、現在保有遊技媒体数の貯蓄作業に要する作業負担を大幅に軽減することができるという効果を奏する。
【００３１】
上記のように構成された本発明の遊技用記録媒体処理方法では、遊技用記録媒体の現在有価残高を精算すると共に、携帯媒体の携帯媒体識別情報を取得した場合、前記携帯媒体識別情報に対応した貯蓄中の貯蓄遊技媒体数に対する、現在保有遊技媒体数の加算更新を指示するようにした。その結果、遊技客は、遊技用記録媒体の現在有価残高数の精算作業及び、現在保有遊技媒体数の貯蓄作業に要する作業負担を大幅に軽減することができるという効果を奏する。
【００３２】
上記のように構成された本発明の遊技媒体管理システムでは、遊技用記録媒体の現在有価残高数を精算すると共に、遊技用記録媒体の保有者に関わる携帯媒体の携帯媒体識別情報を取得し、携帯媒体識別情報に対応した貯蓄中の貯蓄遊技媒体数に対する、遊技用記録媒体の現在保有遊技媒体数の加算更新を指示するようにした。その結果、遊技客は、遊技用記録媒体の現在有価残高数の精算作業及び、現在保有遊技媒体数の貯蓄作業に要する作業負担を大幅に軽減することができるという効果を奏する。
【００３３】
さらに、本発明の遊技媒体管理システムでは、管理装置側で遊技用記録媒体処理装置からの指示に基づき、加算更新が可能と判定されると、携帯媒体の携帯媒体識別情報に対応した貯蓄中の貯蓄遊技媒体数に対する、現在保有遊技媒体数の加算更新を実行するようにした。その結果、管理装置側では、遊技用記録媒体の現在保有遊技媒体数を携帯媒体の携帯媒体識別情報に対応した貯蓄中の貯蓄遊技媒体数に更新することができるという効果を奏する。
【００３４】
さらに、本発明の遊技媒体管理システムでは、携帯媒体識別情報に対応した会員情報がある場合、前記携帯媒体識別情報に対応した貯蓄中の貯蓄遊技媒体数及び、設定中の貯蓄上限数に基づき、貯蓄可能遊技媒体数を算出し、現在保有遊技媒体数が貯蓄可能遊技媒体数以内の場合、前記携帯媒体識別情報に対応した貯蓄中の貯蓄遊技媒体数に対して、前記現在保有遊技媒体数の加算更新を管理装置に指示すると共に、前記現在保有遊技媒体数が前記貯蓄可能遊技媒体数以内でない場合、前記現在保有遊技媒体数の加算更新に関わる前記管理装置への指示を禁止するようにした。その結果、管理装置側では、現在保有遊技媒体数が貯蓄可能遊技媒体数以内の場合、前記携帯媒体識別情報に対応した貯蓄中の貯蓄遊技媒体数に対して、前記現在保有遊技媒体数の加算更新を実行すると共に、現在保有遊技媒体数が貯蓄可能遊技媒体数以内でない場合、貯蓄中の貯蓄遊技媒体数の加算更新を実行しないという効果を奏する。
【発明を実施するための最良の形態】
【００３５】
以下、図面に基づき本発明の遊技用記録媒体処理装置、遊技用記録媒体処理方法及び遊技媒体管理システムに関わる実施例について詳細に説明する。
【００３６】
まず、最初に本実施例の概要を説明するとすれば、その概要は、例えば遊技店内に配置したカード精算機に関し、カード精算機は、非会員カード等の一般カードを検出すると、一般カードの現在プリペイド残高を精算すると共に、一般カードの保有者に関わる携帯電話機のＩＤｍを取得し、管理装置側で管理する、そのＩＤｍに対応した貯蓄中の貯玉数に、一般カードの現在持玉数を加算更新するように管理装置に指示するものである。
【００３７】
その結果、カード精算機では、一般カードの現在プリペイド残高の精算作業は勿論のこと、一般カードの現在持玉数の貯玉作業に要する作業負担を大幅に軽減することができるというものである。
【実施例１】
【００３８】
図１は、本発明の遊技用記録媒体処理装置に関わる実施例１の遊技台管理システム全体の概略構成を示すブロック図である。
【００３９】
図１に示す遊技台管理システム１は、複数の遊技台１１０と、遊技台１１０毎に設け、入金操作に応じて所定玉数を貸し出す玉貸機能を有する台間機１２０と、遊技台１１０及び台間機１２０が設置される遊技島毎に設ける中継装置に相当する島コントローラ１３０と、景品の交換処理や在庫管理を行う景品管理機１４０と、特殊景品を払い出す景品払出機１５０と、携帯電話機１８０等を使用しての会員登録やオペレータ操作で貯玉登録するカード処理機１６０と、会員カードや一般カード等の現在プリペイド残高を精算するカード精算機１０と、この遊技台管理システム１全体を管理制御する管理装置１７０とを有している。
【００４０】
また、遊技台管理システム１は、島コントローラ１３０、景品管理機１４０、カード処理機１６０、カード精算機１０及び管理装置１７０間をＬＡＮ接続し、これら島コントローラ１３０、景品管理機１４０、カード処理機１６０、カード精算機１０及び管理装置１７０間のデータ通信を実現している。
【００４１】
台間機１２０は、カードのプリペイド残高の問合せ、玉貸し要求や再プレイ要求を実行すると共に、プリペイド残高がある場合に遊技台１１０に対して玉貸し指示を実行すると共に、会員カードや携帯電話機１８０の情報読取＋暗証番号入力操作に応じて貯玉残高がある場合に遊技台１１０に貯玉を払い出す再プレイ指示を実行するものである。
【００４２】
景品管理機１４０は、遊技店内に設けられる景品交換カウンタに配設された景品交換用の端末装置に相当するものである。具体的には、景品交換カウンタ内のオペレータが、玉計数機から印字出力された獲得玉数の計数レシートや計数カード（一般カードや会員カード）を遊技客から受け取ると、この計数レシートから獲得玉数をバーコードリーダで読み取ると共に、この獲得玉数分の一般景品をオペレータによる手作業で遊技客に受け渡すものである。また、遊技客が特殊景品への交換を希望する場合、オペレータは、景品管理機１４０に設けた特殊景品交換ボタンを押下し、景品払出機１５０に獲得玉数分の特殊景品の払い出しを指示するものである。 
【００４３】
また、この景品管理機１４０では、計数レシートや一般カードから読み取った獲得玉数の一部又は全部を会員又は仮会員の貯玉口座内の貯玉残高に預け入れることもできる。例えば、オペレータが貯玉を希望する会員から計数レシート、一般カード及び会員カードを受け取った場合、この会員カードを景品管理機１４０のカードリーダに挿入して会員ＩＤを読み取った後、貯玉操作を行って管理装置１７０に貯玉指示を行うものである。また、オペレータが貯玉を希望する会員又は仮会員から計数レシートや一般カードを受け取った場合、該会員又は仮会員に対して携帯電話機１８０をかざすよう指示して、該携帯電話機１８０から会員ＩＤを読み取った後、貯玉操作を行って管理装置１７０に貯玉指示を行うものである。
【００４４】
カード処理機１６０は、携帯電話機１８０を用いた仮会員登録や、登録済み会員及び仮会員による貯玉を行う際に利用される会員用端末装置に相当し、会員カードに記録された会員ＩＤを読み取るカードリーダ部と、携帯電話機１８０から会員ＩＤ（正確にはＩＤｍ）を読み取る携帯用リーダライタ部とを有している。
【００４５】
図２は、管理装置１７０内部の概略構成を示すブロック図である。
【００４６】
管理装置１７０は、ＬＡＮと通信接続する通信インタフェース１７１と、例えば、キーボードやマウス等の入力デバイスに相当し、各種情報を入力する入力部１７２と、例えば、液晶パネルやディスプレイ等の表示デバイスに相当し、各種情報を出力する出力部１７３と、例えば、ハードディスクや不揮発性メモリ等の記憶デバイスに相当し、各種情報を記憶管理する記憶管理部１７４と、管理装置１７０全体を制御する制御部１７５とを有している。
【００４７】
記憶管理部１７４は、会員申込用紙への記入を通じて一定の個人情報が登録された会員や、携帯電話機１８０を通じてＩＤｍ及び属性情報のみが登録された仮会員を記憶管理する会員管理データベース（以下、単にＤＢと称する）１７６と、会員カードや一般カード等のカードに関わる各種情報を記憶管理するカード管理ＤＢ１７７とを有している。
【００４８】
カード管理ＤＢ１７７は、カードを識別するカードＩＤ毎に、現在プリペイド残高を管理するプリペイド残高ＤＢ１７７Ａと、カードＩＤ毎に、遊技客が獲得した持玉を景品交換することなく、遊技店に預ける玉を示す貯玉数を管理する貯玉ＤＢ１７７Ｂと、カードＩＤ毎に、遊技客が獲得した持玉数を管理する持玉ＤＢ１７７Ｃとを有し、カードＩＤ毎に、現在プリペイド残高、現在貯玉数及び現在持玉数を集中管理している。
【００４９】
図３は、実施例１の管理装置１７０内の会員管理ＤＢ１７６内部のデータ内容を端的に示す説明図である。
【００５０】
図３に示す会員管理ＤＢ１７６は、会員ＩＤ１７６Ａ毎に会員種別１７６Ｂ、会員の貯玉口座内の貯玉数１７６Ｃ、属性情報１７６Ｄ及び会員保有の携帯電話機１８０のＩＤｍ１７６Ｅを記憶したデータベースに相当するものである。尚、属性情報１７６Ｄには、電話番号、生年月日やフリーキーワード等が含まれるものである。ここで、会員種別１７６Ｂを記憶した理由は、仮会員と本会員とを区別するものである。 
【００５１】
図２に示す管理装置１７０では、会員管理ＤＢ１７６で会員ＩＤ１７６Ａ毎に会員種別１７６Ｂ、貯玉数１７６Ｃ、属性情報１７６Ｄ及びＩＤｍ１７６Ｅを集中管理している。
【００５２】
管理装置１７０内の制御部１７５は、会員管理ＤＢ１７６内の貯玉を管理する貯玉管理部１７５Ａと、携帯電話機１８０を使用した仮会員登録を要求する仮会員登録処理部１７５Ｂと、カード管理ＤＢ１７７を管理するカード管理部１７５Ｃとを有している。
【００５３】
貯玉管理部１７５Ａは、カード処理機１６０、景品管理機１４０又はカード精算機１０から貯玉加算指示を受け付けた場合、該当する貯玉口座内の貯玉数を加算処理し、台間機１２０又は景品管理機１４０から貯玉減算指示を受け付けた場合、該当する貯玉口座内の貯玉数を減算処理するものである。 
【００５４】
仮会員登録処理部１７５Ｂは、遊技客がカード処理機１６０の携帯用リーダライタ部に携帯電話機１８０をかざすと、この携帯電話機１８０のＩＣチップ１８１からＩＣチップ識別情報「ＩＤｍ」を読み取り、別途入力された属性情報とともに会員管理ＤＢ１７６に登録することになる。
【００５５】
カード管理部１７５Ｃは、カードＩＤに基づき、カード管理ＤＢ１７７内のプリペイド残高ＤＢ１７７Ａ、貯玉ＤＢ１７７Ｂ及び持玉ＤＢ１７７Ｃを紐付け管理するものである。
【００５６】
図４は、実施例１の要部であるカード精算機１０内部の概略構成を示すブロック図である。
【００５７】
図４に示すカード精算機１０は、ＬＡＮと通信接続する通信インタフェース１１と、一般カードや会員カード等のカード挿入を検出すると、これらカードに記録された情報を読み取るカードリーダ部１２と、携帯電話機１８０に内蔵したＩＣチップ１８１との間でデータ通信を実行する携帯用リーダライタ部１３とを有している。
【００５８】
携帯用リーダライタ部１３は、携帯電話機１８０内部のＩＣチップ１８１に組み込まれたアンテナコイルに弱電波を送信し、この弱電波でＩＣチップ１８１側のアンテナコイルが発電してＩＣチップ１８１とのデータ通信が可能となる。その結果、携帯用リーダライタ部１３は、携帯電話機１８０からＩＤｍを取得することになる。
【００５９】
また、カード精算機１０は、各種情報を表示すると共に、その表示画面上のタッチ操作で各種コマンドを入力するタッチパネル部１４と、カード精算機１０内に挿入したカードを返却するカード返却部１５と、カード精算機１０全体を制御する精算側制御部１６と、カード精算機１０内に挿入したカードのプリペイド残高情報及び持玉数情報がない場合、同カードを回収するカード回収部１７とを有している。
【００６０】
精算側制御部１６は、一般カードの挿入を検出した場合、カードリーダ部１２を通じて一般カードに記録中のプリペイド残高情報及び持玉数情報（カードＩＤ）を取得すると共に、携帯用リーダライタ部１３を通じて携帯電話機１８０のＩＤｍを取得するものである。
【００６１】
精算側制御部１６は、一般カードのプリペイド残高情報（カードＩＤ）に基づき、現在プリペイド残高数が精算可能残高数以上であるか否かを判定する精算可能残高判定部２１と、現在プリペイド残高数が精算可能残高数以上の場合、現在プリペイド残高数を精算する残高精算部２２とを有している。
【００６２】
精算可能残高判定部２１は、ＬＡＮ経由で管理装置１７０内のカード管理部１７５Ｃに対して、一般カードのプリペイド残高情報（カードＩＤ）に基づき、現在プリペイド残高数が精算可能残高数以上であるか否かを問合せ、その問合せ結果に基づき、現在プリペイド残高数が精算可能残高数以上であるか否かを判定するものである。尚、カード管理部１７５Ｃは、一般カードのカードＩＤに対応する現在プリペイド残高をプリペイド残高ＤＢ１７７Ａから取得するものである。
【００６３】
残高精算部２２は、一般カードの現在プリペイド残高数を精算するものである。尚、カード管理部１７５Ｃは、残高精算部２２にて現在プリペイド残高数を精算すると、プリペイド残高ＤＢ１７７Ａ内の一般カードのカードＩＤに対応した現在プリペイド残高数を精算後のプリペイド残高数に更新するものである。
【００６４】
また、精算側制御部１６は、携帯用リーダライタ部１３を通じて携帯電話機１８０とのデータ通信に応じて、携帯電話機１８０のＩＤｍを検出する携帯ＩＤｍ検出部２３と、携帯ＩＤｍ検出部２３を通じて携帯電話機１８０のＩＤｍを検出したか否かを判定する携帯ＩＤｍ判定部２４と、携帯ＩＤｍ判定部２４にて携帯電話機１８０のＩＤｍを検出した場合、携帯電話機１８０のＩＤｍに対応した会員ＩＤがあるか否かを判定する会員情報判定部２５とを有している。
【００６５】
会員情報判定部２５は、携帯電話機１８０のＩＤｍを検出した場合、ＬＡＮ経由で管理装置１７０内の制御部１７５に対して、携帯電話機１８０のＩＤｍに対応した会員ＩＤが会員管理ＤＢ１７６内にあるか否かを問合せ、その問合せ結果に基づき、携帯電話機１８０のＩＤｍに対応した会員ＩＤがあるか否かを判定するものである。
【００６６】
精算側制御部１６は、一般カードに記録中の持玉数情報（カードＩＤ）に基づき、現在持玉数が貯玉可能数以内であるか否かを判定する貯玉可能判定部２６と、現在持玉数が貯玉可能数以内の場合、携帯電話機１８０のＩＤｍに対応した貯玉口座の貯玉数に現在持玉数を加算更新すべく、管理装置１７０に指示する貯玉更新指示部２７とを有している。
【００６７】
貯玉可能判定部２６は、一般カードの持玉数情報（ＩＤカード）に基づき、ＬＡＮ経由で管理装置１７０内のカード管理部１７５Ｃに対して、現在持玉数が貯玉可能数以内であるか否かを問合せ、その問合せ結果に基づき、現在持玉数が貯玉可能数以内であるか否かを判定するものである。尚、貯玉可能数とは、会員一人当たりの貯玉口座の現在貯玉残高から、その貯玉口座の設定上限数までの貯玉できる最大玉数に相当するものである。例えば、貯玉口座の設定上限数を５００００発とし、現在貯玉残高を４５０００発とした場合、貯玉可能数は（設定上限数−現在貯玉残高）の５０００発ということになる。
【００６８】
貯玉更新指示部２７は、会員情報判定部２５を通じて携帯電話機１８０のＩＤｍに対応した会員ＩＤがある場合、かつ現在持玉数が貯玉可能数以内の場合、会員管理ＤＢ１７６内部のＩＤｍに対応した貯玉口座の貯玉数に現在持玉数を加算更新すべく、貯玉指示を管理装置１７０に通知するものである。その結果、管理装置１７０内部の貯玉管理部１７５Ａは、貯玉指示を検出した場合、会員管理ＤＢ１７６内部のＩＤｍに対応した貯玉口座の貯玉数に一般カードの現在持玉数を加算更新するものである。更に、管理装置１７０内部のカード管理部１７５Ｃは、持玉ＤＢ１７７Ｃ内の一般カードのカードＩＤに対応した現在持玉数を更新するものである。
【００６９】
また、貯玉更新指示部２７は、会員情報判定部２５を通じて携帯電話機１８０のＩＤｍに対応した会員ＩＤがない場合、会員管理ＤＢ１７６内部にＩＤｍに対応付けて新規の会員ＩＤを登録し、この会員ＩＤ（ＩＤｍ）に対応した貯玉口座の貯玉数に現在持玉数を新規登録すべく、貯玉指示を管理装置１７０に通知するものである。その結果、管理装置１７０内部の貯玉管理部１７５Ａは、会員管理ＤＢ１７６内部にＩＤｍに対応した新規の会員ＩＤを登録し、この会員ＩＤ（ＩＤｍ）に対応した貯玉口座の貯玉数に一般カードの現在持玉数を新規登録するものである。更に、管理装置１７０内部のカード管理部１７５Ｃは、持玉ＤＢ１７７Ｃ内の一般カードのカードＩＤに対応した現在持玉数を更新するものである。
【００７０】
尚、貯玉更新指示部２７は、貯玉可能判定部２６にて現在持玉数が貯玉可能数以内でない場合、貯玉不可と判断し、貯玉更新を実行しないものである。
【００７１】
また、精算側制御部１６は、携帯ＩＤｍ判定部２４にて携帯電話機１８０のＩＤｍを検出しなかった場合、現在持玉数の携帯電話機１８０による貯玉はできないものと判断し、タッチパネル部１４上にカウンタで貯玉するように遊技客に案内するカウンタ案内ガイダンスを表示するものである。
【００７２】
また、カード回収部１７は、例えば、挿入した一般カードのプリペイド残高の精算及び持玉の貯玉が完了した場合、すなわち一般カードに記録中のプリペイド残高情報及び持玉数情報が共に“０”になった場合、一般カードに有価価値がないため、その一般カードを回収するものである。尚、カード回収部１７にて回収した一般カードは、遊技店内のオペレータが所定タイミングで回収するものである。また、会員カードの場合は、記録中のプリペイド残高情報及び持玉情報が共に“０”になったとしても、その会員カードを遊技客に返却することは言うまでもない。
【００７３】
尚、請求項記載の遊技用記録媒体処理装置はカード精算機１０、現在有価残高数は現在プリペイド残高数、有価残高情報はプリペイド残高情報、現在保有遊技媒体数は現在持玉数、保有遊技媒体数情報は持玉数情報、遊技用記録媒体は一般カード、有価残高精算部は残高精算部２２、携帯媒体は携帯電話機１８０、携帯媒体識別情報取得部は携帯用リーダライタ部１３及び携帯ＩＤｍ検出部２３、携帯媒体識別情報はＩＤｍ、貯蓄媒体数更新部は貯玉更新指示部２７、精算可能残高判定部は精算可能残高判定部２１、貯蓄可能媒体数判定部、貯蓄可能媒体数算出部及び貯蓄可否判定部は貯玉可能判定部２６、会員情報判定部は会員情報判定部２５、ガイダンス表示部はタッチパネル部１４、記録媒体返却部はカード返却部１５、貯蓄媒体数更新制御部及び加算更新判定部は貯玉管理部１７５Ａに対応するものである。
【００７４】
次に、実施例１の遊技台管理システム１の動作について説明する。図５は、実施例１の第１カード精算貯玉処理に関わる精算側制御部１６内部の処理動作を示すフローチャートである。
【００７５】
図５に示す第１カード精算貯玉処理に関わるカード精算機１０内の精算側制御部１６内部の処理動作を示すフローチャートである。
【００７６】
図５に示す第１カード精算貯玉処理とは、カード精算時に、一般カードの現在プリペイド残高の精算処理及び現在持玉数の携帯貯玉処理を可能にする処理である。
【００７７】
図５においてカード精算機１０内の精算側制御部１６は、カードリーダ部１２を通じて一般カードを検出したか否かを判定する（ステップＳ１１）。
【００７８】
精算側制御部１６は、一般カードを検出した場合（ステップＳ１１肯定）、一般カード内のプリペイド残高情報及び持玉数情報（カードＩＤ）を取得する（ステップＳ１２）。
【００７９】
精算側制御部１６は、一般カードの遊技客保有の携帯電話機１８０を使用した貯玉サービス（携帯貯玉サービス）を選択するか否かを示す携帯貯玉選択画面をタッチパネル部１４に画面表示する（ステップＳ１３）。
【００８０】
精算側制御部１６は、携帯貯玉選択画面上で携帯貯玉選択操作を検出したか否かを判定する（ステップＳ１４）。
【００８１】
精算側制御部１６は、携帯貯玉選択操作を検出した場合（ステップＳ１４肯定）、携帯用リーダライタ部１３に遊技客保有の携帯電話機１８０のかざし操作を促す携帯電話操作ガイダンスをタッチパネル部１４に画面表示する（ステップＳ１５）。尚、遊技客は、携帯電話操作ガイダンスで円滑な携帯貯玉の携帯電話機１８０の操作を認識することができる。
【００８２】
精算側制御部１６内の携帯ＩＤｍ判定部２４は、携帯ＩＤｍ検出部２３を通じて携帯電話機１８０のＩＤｍを取得したか否かを判定する（ステップＳ１６）。
【００８３】
精算側制御部１６内の会員情報判定部２５は、携帯電話機１８０のＩＤｍを取得した場合（ステップＳ１６肯定）、ＩＤｍに対応した会員ＩＤが会員管理ＤＢ１７６内にあるか否かを判定する（ステップＳ１７）。尚、会員情報判定部２５は、ＩＤｍに対応した会員ＩＤが会員管理ＤＢ１７６内にあるか否かを管理装置１７０内部の制御部１７５に問合せ、その問合せ結果に基づき、ＩＤｍに対応した会員ＩＤがあるか否かを判定するものである。
【００８４】
精算側制御部１６内の貯玉可能判定部２６は、ＩＤｍに対応した会員ＩＤがある場合（ステップＳ１７肯定）、貯玉可能数を算出し（ステップＳ１８）、現在持玉数が貯玉可能数以内であるか否かを判定する（ステップＳ１９）。尚、貯玉可能判定部２６は、予め設定した会員一人当たりの設定上限数と、ＩＤｍに対応した会員ＩＤの会員管理ＤＢ１７６内の現在貯玉残高とに基づく貯玉可能数の算出及び、現在持玉数が貯玉可能数以内であるか否かを管理装置１７０内部の制御部１７５に問合せ、その問合せ結果に基づき、現在持玉数が貯玉可能数以内であるか否かを判定するものである。
【００８５】
精算側制御部１６内の貯玉更新指示部２７は、現在持玉数が貯玉可能数以内の場合（ステップＳ１９肯定）、貯玉可能と判断し、会員ＩＤに対応した貯玉口座の貯玉数に現在持玉数を加算更新すべく、管理装置１７０に貯玉指示を通知する（ステップＳ２０）。その結果、管理装置１７０側の貯玉管理部１７５Ａは、貯玉指示に応じて、会員管理ＤＢ１７６内の遊技客の会員ＩＤに対応した貯玉口座の貯玉数に現在持玉数を加算更新することになる。更に、管理装置１７０側のカード管理部１７５Ｃは、持玉ＤＢ１７７Ｃ内のカードＩＤに対応した現在持玉数を減算更新するものである。
【００８６】
さらに、精算側制御部１６内の精算可能残高判定部２１は、一般カードに記録中のプリペイド残高情報（カードＩＤ）に基づき、現在プリペイド残高数が精算可能残高数以上であるか否かを判定する（ステップＳ２１）。尚、精算可能残高判定部２１は、ＬＡＮ経由で管理装置１７０内のカード管理部１７５Ｃに問合せ、その問合せ結果に基づき、現在プリペイド残高数が精算可能残高数以上であるか否かを判定するものである。
【００８７】
精算側制御部１６内の残高精算部２２は、現在プリペイド残高数が精算可能残高数以上の場合（ステップＳ２１肯定）、現在プリペイド残高数を精算可能残高数に応じて精算する（ステップＳ２２）。尚、カード管理部１７５Ｃは、残高精算部２２にて現在プリペイド残高数を精算すると、プリペイド残高ＤＢ１７７Ａ内の一般カードのカードＩＤに対応した現在プリペイド残高数を精算後のプリペイド残高数に更新するものである。
【００８８】
精算側制御部１６は、一般カードの持玉数情報（カードＩＤ）に基づき、現在持玉数がなしか否かを判定する（ステップＳ２３）。尚、精算側制御部１６は、ＬＡＮ経由で管理装置１７０内のカード管理部１７５Ｃに問合せ、その問合せ結果に基づき、現在持玉数がなしか否かを判定するものである。
【００８９】
精算側制御部１６は、現在持玉数がなしの場合（ステップＳ２３肯定）、一般カードに記録中のプリペイド残高情報（カードＩＤ）に基づき、現在プリペイド残高数がなしであるか否かを判定する（ステップＳ２４）。尚、精算側制御部１６は、ＬＡＮ経由で管理装置１７０内のカード管理部１７５Ｃに問合せ、その問合せ結果に基づき、現在プリペイド残高数がなしであるか否かを判定するものである。
【００９０】
精算側制御部１６は、現在プリペイド残高数がなしの場合（ステップＳ２４肯定）、カード回収部１７を通じて一般カードを回収し（ステップＳ２５）、図５に示す処理動作を終了する。
【００９１】
また、精算側制御部１６は、現在持玉数がある場合（ステップＳ２３否定）、カウンタに赴いて持玉数を貯玉するように遊技客に案内するカウンタ案内をタッチパネル部１４に画面表示し（ステップＳ２６）、カード返却部１５を通じて一般カードを返却し（ステップＳ２７）、図５に示す処理動作を終了する。
【００９２】
また、精算側制御部１６は、現在プリペイド残高数がある場合（ステップＳ２４否定）、カード返却部１５を通じて一般カードを返却すべく、ステップＳ２７に移行する。
【００９３】
また、精算側制御部１６は、一般カードを検出しなかった場合（ステップＳ１１否定）、図５に示す処理動作を終了する。
【００９４】
また、精算側制御部１６は、携帯貯玉選択操作を検出しなかった場合（ステップＳ１４否定）、現在プリペイド残高数が精算可能残高数以上であるか否かを判定すべく、ステップＳ２１に移行する。
【００９５】
また、精算側制御部１６は、携帯電話機１８０のＩＤｍを取得できなかった場合（ステップＳ１６否定）、携帯電話機１８０のＩＤｍが取得できない旨の携帯エラーをタッチパネル部１４上に画面表示し（ステップＳ２８）、現在プリペイド残高数が精算可能残高数以上であるか否かを判定すべく、ステップＳ２１に移行する。
【００９６】
また、精算側制御部１６内の貯玉更新指示部２７は、携帯電話機１８０のＩＤｍに対応した会員ＩＤがない場合（ステップＳ１７否定）、ＩＤｍに対応付けて新規の仮会員ＩＤを作成し、この新規の仮会員ＩＤに対応した貯玉口座の貯玉数に現在持玉数を登録すべく、管理装置１７０に貯玉指示を通知し（ステップＳ２９）、現在プリペイド残高数が精算可能残高数以上であるか否かを判定すべく、ステップＳ２１に移行する。その結果、管理装置１７０内部の貯玉管理部１７５Ａは、会員管理ＤＢ１７６内部にＩＤｍに対応した新規の会員ＩＤを登録し、この会員ＩＤ（ＩＤｍ）に対応した貯玉口座の貯玉数に一般カードの現在持玉数を新規登録するものである。更に、管理装置１７０内部のカード管理部１７５Ｃは、持玉ＤＢ１７７Ｃ内の一般カードのカードＩＤに対応した現在持玉数を減算更新するものである。
【００９７】
また、精算側制御部１６は、現在持玉数が貯玉可能数以内でない場合（ステップＳ１９否定）、貯玉不可と判断し、現在プリペイド残高数が精算可能残高数以上であるか否かを判定すべく、ステップＳ２１に移行する。
【００９８】
また、精算側制御部１６は、現在プリペイド残高数が精算可能残高数以上でない場合（ステップＳ２１否定）、現在持玉数がなしか否かを判定すべく、ステップＳ２３に移行する。
【００９９】
尚、図５に示す第１カード精算貯玉処理では、一般カードを検出した場合を例に挙げて説明したが、会員カードを検出した場合、会員カードの現在プリペイド残高については精算することになるが、会員カードの持玉数はカード精算機１０を使用しなくても、閉店後に管理装置１７０側の貯玉管理部１７５Ｃで自動的に持玉数を会員管理ＤＢ１７６内の貯玉数に加算更新することになる。
【０１００】
図５に示す第１カード精算貯玉処理では、一般カードの現在プリペイド残高を精算すると共に、一般カードの遊技客保有の携帯電話機１８０のＩＤｍを取得し、ＩＤｍに対応した会員ＩＤがある場合、かつ、現在持玉数が貯玉可能数以内の場合、ＩＤｍに対応した遊技客の貯玉数に、一般カードの現在持玉数を加算更新するようにした。その結果、遊技客は、一般カードの現在プリペイド残高の精算作業は勿論のこと、現在持玉数の貯玉作業に要する作業負担を大幅に軽減することができる。
【０１０１】
第１カード精算貯玉処理では、ＩＤｍに対応した会員ＩＤがない場合、ＩＤｍに対応した会員情報を新規作成し、一般カードの現在持玉数をＩＤｍに対応した貯玉口座の貯玉数として登録するようにしたので、会員でなくても、携帯電話機のＩＤｍで新規に仮会員として登録し、その持玉を貯玉することができる。
【０１０２】
実施例１では、一般カードのプリペイド残高を精算すると共に、一般カードの遊技客保有の携帯電話機１８０のＩＤｍを取得すると、そのＩＤｍに対応した遊技客の貯玉数に、一般カードの現在持玉数を加算更新するようにした。その結果、遊技客は、一般カードの現在プリペイド残高の精算作業は勿論のこと、現在持玉数の貯玉作業に要する作業負担を大幅に軽減することができる。
【０１０３】
実施例１では、携帯電話機１８０のＩＤｍに対応した会員ＩＤがある場合、かつ、現在持玉数が貯玉可能数以内の場合、会員ＩＤに関わるＩＤｍに対応した遊技客の貯玉数に、現在持玉数を加算更新するようにしたので、カード精算機１０側では、カード精算時に、会員ＩＤに対応付けて一般カードの持玉を貯玉することができる。
【０１０４】
実施例１では、携帯電話機１８０のＩＤｍに対応した会員ＩＤがない場合、ＩＤｍを新規の会員ＩＤとして、このＩＤｍに対応付けて、現在持玉数を貯玉数として登録するようにしたので、カード精算機１０では、会員ＩＤがない場合でも、新規に現在持玉数を貯玉数として登録することができる。
【０１０５】
実施例１では、携帯貯玉選択画面上で携帯貯玉選択操作を検出した場合、一般カードの遊技客に対して、保有する携帯電話機１８０のかざし操作、すなわち携帯電話操作ガイダンスをタッチパネル部１４上に画面表示するようにしたので、遊技客は、操作ガイダンスに基づき、携帯電話機１８０のＩＤｍを読み取らせる作業を円滑に行うことができる。
【０１０６】
実施例１では、一般カードの遊技客保有の携帯電話機１８０のＩＤｍを取得しなかった場合、残高精算部２２にて現在プリペイド残高精算更新後の一般カードを返却するようにしたので、携帯電話機１８０を保有しない遊技客に対しても、通常通り、精算作業を円滑に実現することができる。
【０１０７】
また、実施例１では、会員カードを使用して遊技台をプレイした場合、そのプレイ終了時点で会員カードが返却され、現在持玉がある場合、その現在持玉数は遊技店の閉店後に自動的に貯玉されることになる。
【０１０８】
一般的に、会員カードを用いないで現金や一般カードを使用して遊技台をプレイした場合、そのプレイ終了時点で一般カードが返却され、現在持玉がある場合、その一般カードに紐付けて現在持玉を管理し、遊技客は、その一般カードをカウンタに持参し、オペレータ側の操作で現在持玉を貯玉又は景品交換しない限り、その一般カードの現在持玉数は遊技店閉店後に無効となる。
【０１０９】
また、携帯電話機１８０を用いた貯玉再プレイで遊技台をプレイした場合でも、そのプレイ終了時点で現在持玉がある場合、一般カードで返却されることになるため、遊技客は、その一般カードをカウンタに持参し、オペレータ側の操作で現在持玉又は景品交換をしない限り、その一般カードの現在持玉数は遊技店閉店後に無効となる。
【０１１０】
しかも、遊技店閉店直前のカウンタは非常に混雑することから、一般カード保有の遊技客はカウンタ前に並ばなければならず、オペレータの負担は勿論のこと、遊技客側の負担も大きい。
【０１１１】
しかしながら、実施例１では、一般カードで現在持玉が返却されたとしても、カード精算機１０でカード精算と併せて、現在持玉を貯玉することができるため、現在持玉数が無効になってしまうような事態にも対処でき、オペレータの負担は勿論のこと、遊技客側の負担も最小限に抑制することができる。
【０１１２】
尚、実施例１のカード精算機１０は、携帯電話機１８０による携帯貯玉サービスに対応したカード精算機１０であるが、今後、携帯貯玉サービスの採用を予定しているものの、現在は携帯貯玉サービスを採用せず、その携帯貯玉サービスを採用していない場合でも十分に対応することができるカード精算機を使用した場合の実施例につき、実施例２として説明する。
【実施例２】
【０１１３】
図６は、実施例２のカード精算機内部の概略構成を示すブロック図である。尚、図４に示す実施例１のカード精算機１０と同一の構成については同一符号を付すことで、その重複する構成及び動作の説明については省略する。
【０１１４】
図６に示すカード精算機１０Ａと図４に示すカード精算機１０とが異なるところは、精算側制御部１６内部に、携帯貯玉サービスに対応する携帯貯玉モードを有効又は無効にする携帯貯玉モード設定部３１と、携帯貯玉モードの有効設定時に携帯貯玉を許可すると共に、携帯貯玉モードの無効設定時に携帯貯玉を禁止する受付制御部３２とを有する点で異なる。
【０１１５】
携帯貯玉モード設定部３１は、選択操作に応じて携帯貯玉モードの有効又や無効を設定するものである。
【０１１６】
受付制御部３２は、携帯貯玉モードの有効設定時に携帯貯玉を許可、例えば、携帯用リーダライタ部１３のかざし操作を受け付けるものである。
【０１１７】
また、受付制御部３２は、携帯貯玉モードの無効設定時に携帯貯玉を禁止、例えば、携帯用リーダライタ部１３のかざし操作の受付を禁止するものである。
【０１１８】
尚、請求項記載の遊技用記録媒体処理装置はカード精算機１０Ａ、モード設定部は携帯貯玉モード設定部３１、携帯貯蓄更新モードは携帯貯玉モード、受付制御部は受付制御部３２に対応するものである。
【０１１９】
次に、実施例２の遊技台管理システム１の動作について説明する。図７は、実施例２の第２カード精算貯玉処理に関わるカード精算機１０Ａ内の精算側制御部１６内部の処理動作を示すフローチャートである。
【０１２０】
図７に示す第２カード精算貯玉処理とは、携帯貯玉モードを有効又は無効に設定可能とし、カード精算時に、一般カードの現在プリペイド残高の精算処理及び現在持玉数の携帯貯玉処理を可能にする処理である。
【０１２１】
図７においてカード精算機１０Ａ内の精算側制御部１６は、カードリーダ部１２を通じて一般カードを検出したか否かを判定する（ステップＳ４１）。
【０１２２】
精算側制御部１６は、一般カードを検出した場合（ステップＳ４１肯定）、一般カード内のプリペイド残高情報及び持玉数情報（カードＩＤ）を取得する（ステップＳ４２）。
【０１２３】
精算側制御部１６内の精算可能残高判定部２１は、に対応した貯玉口座の貯玉数中のプリペイド残高情報（カードＩＤ）に基づき、現在プリペイド残高数が精算可能残高数以上であるか否かを判定する（ステップＳ４３）。尚、精算可能残高判定部２１は、ＬＡＮ経由で管理装置１７０内のカード管理部１７５Ｃに問合せ、その問合せ結果に基づき、現在プリペイド残高数が精算可能残高数以上であるか否かを判定するものである。
【０１２４】
精算側制御部１６内の残高精算部２２は、現在プリペイド残高数が精算可能残高数以上の場合（ステップＳ４３肯定）、現在プリペイド残高数を精算可能残高数に応じて精算する（ステップＳ４４）。尚、カード管理部１７５Ｃは、残高精算部２２にて現在プリペイド残高数を精算すると、プリペイド残高ＤＢ１７７Ａ内の一般カードのカードＩＤに対応した現在プリペイド残高数を精算後のプリペイド残高数に更新するものである。
【０１２５】
精算側制御部１６は、携帯貯玉モードが有効設定中であるか否かを判定する（ステップＳ４５）。
【０１２６】
精算側制御部１６は、携帯貯玉モードが有効設定中である場合（ステップＳ４５肯定）、一般カードの遊技客保有の携帯電話機１８０を使用した携帯貯玉サービスを選択するか否かを示す携帯貯玉選択画面をタッチパネル部１４に画面表示する（ステップＳ４６）。
【０１２７】
精算側制御部１６は、携帯貯玉選択画面上で携帯貯玉選択操作を検出したか否かを判定する（ステップＳ４７）。
【０１２８】
精算側制御部１６は、携帯貯玉選択操作を検出した場合（ステップＳ４７肯定）、携帯用リーダライタ部１３に遊技客保有の携帯電話機１８０のかざし操作を促す携帯電話操作ガイダンスをタッチパネル部１４に画面表示する（ステップＳ４８）。尚、遊技客は、携帯電話操作ガイダンスで円滑な携帯貯玉の携帯電話機１８０の操作を認識することができる。
【０１２９】
精算側制御部１６内の携帯ＩＤｍ判定部２４は、携帯ＩＤｍ検出部２３を通じて携帯電話機１８０のＩＤｍを取得したか否かを判定する（ステップＳ４９）。
【０１３０】
精算側制御部１６内の会員情報判定部２５は、携帯電話機１８０のＩＤｍを取得した場合（ステップＳ４９肯定）、ＩＤｍに対応した会員ＩＤが会員管理ＤＢ１７６内にあるか否かを判定する（ステップＳ５０）。尚、会員情報判定部２５は、ＩＤｍに対応した会員ＩＤが会員管理ＤＢ１７６内にあるか否かを管理装置１７０内部の制御部１７５に問合せ、その問合せ結果に基づき、ＩＤｍに対応した会員ＩＤがあるか否かを判定するものである  。
【０１３１】
精算側制御部１６内の貯玉可能判定部２６は、ＩＤｍに対応した会員ＩＤがある場合（ステップＳ５０肯定）、貯玉可能数を算出し（ステップＳ５１）、現在持玉数が貯玉可能数以内であるか否かを判定する（ステップＳ５２）。尚、貯玉可能判定部２６は、予め設定した会員一人当たりの設定上限数と、ＩＤｍに対応した会員ＩＤの会員管理ＤＢ１７６内の現在貯玉残高とに基づく貯玉可能数の算出及び、現在持玉数が貯玉可能数以内であるか否かを管理装置１７０内部の制御部１７５に問合せ、その問合せ結果に基づき、現在持玉数が貯玉可能数以内であるか否かを判定するものである。
【０１３２】
精算側制御部１６内の貯玉更新指示部２７は、現在持玉数が貯玉可能数以内の場合（ステップＳ５２肯定）、貯玉可能と判断し、会員ＩＤに対応した貯玉口座の貯玉数に現在持玉数を加算更新すべく、管理装置１７０に貯玉指示を通知する（ステップＳ５３）。その結果、管理装置１７０側の貯玉管理部１７５Ａは、貯玉指示に応じて、会員管理ＤＢ１７６内の遊技客の会員ＩＤに対応した貯玉口座の貯玉数に現在持玉数を加算更新することになる。更に、管理装置１７０側のカード管理部１７５Ｃは、持玉ＤＢ１７７Ｃ内のカードＩＤに対応した現在持玉数を更新するものである。
【０１３３】
精算側制御部１６は、一般カードに記録中のプリペイド残高情報（カードＩＤ）に基づき、現在プリペイド残高数がなしであるか否かを判定する（ステップＳ５４）。尚、精算側制御部１６は、ＬＡＮ経由で管理装置１７０内のカード管理部１７５Ｃに問合せ、その問合せ結果に基づき、現在プリペイド残高数がなしか否かを判定するものである。
【０１３４】
精算側制御部１６は、現在プリペイド残高数がなしの場合（ステップＳ５４肯定）、カード回収部１７を通じて一般カードを回収し（ステップＳ５５）、図７に示す処理動作を終了する。
【０１３５】
また、精算側制御部１６は、一般カードを検出しなかった場合（ステップＳ４１否定）、図７に示す処理動作を終了する。
【０１３６】
また、精算側制御部１６は、現在プリペイド残高数が精算可能残高数以上でない場合（ステップＳ４３否定）、携帯貯玉モード有効設定中であるか否かを判定すべく、ステップＳ４５に移行する。
【０１３７】
また、精算側制御部１６は、携帯貯玉モードの有効設定中でない場合（ステップＳ４５否定）、すなわち携帯貯玉モードの無効設定中の場合、持玉数情報に基づき、現在持玉数があるか否かを判定する（ステップＳ５６）。
【０１３８】
精算側制御部１６は、現在持玉数がある場合（ステップＳ５６肯定）、カウンタに赴いて持玉数を貯玉するように遊技客に案内するカウンタ案内をタッチパネル部１４に画面表示し（ステップＳ５７）、カード返却部１５を通じて一般カードを返却し（ステップＳ５８）、図７に示す処理動作を終了する。
【０１３９】
さらに、精算側制御部１６は、現在持玉数がない場合（ステップＳ５６否定）、現在プリペイド残高数があるか否かを判定すべく、図中のＭ１（ステップＳ５４）に移行する。
【０１４０】
また、精算側制御部１６は、携帯貯玉選択操作を検出しなかった場合（ステップＳ４７否定）、カウンタ案内を画面表示すべく、ステップＳ５７に移行する。
【０１４１】
また、精算側制御部１６は、携帯電話機１８０のＩＤｍを取得できなかった場合（ステップＳ４９否定）、携帯電話機１８０のＩＤｍが取得できない旨の携帯エラーをタッチパネル部１４上に画面表示し（ステップＳ５９）、カウンタ案内を画面表示すべく、ステップＳ５７に移行する。
【０１４２】
また、精算側制御部１６内の貯玉更新指示部２７は、携帯電話機１８０のＩＤｍに対応した会員ＩＤがない場合（ステップＳ５０否定）、ＩＤｍに対応付けて新規の会員ＩＤを作成し、この新規の会員ＩＤに対応した貯玉口座の貯玉数に現在持玉数を登録すべく、管理装置１７０に貯玉指示を通知し（ステップＳ６０）、現在プリペイド残高数がなしか否かを判定すべく、ステップＳ５４に移行する。その結果、管理装置１７０内部の貯玉管理部１７５Ａは、会員管理ＤＢ１７６内部にＩＤｍに対応した新規の会員ＩＤを登録し、この会員ＩＤ（ＩＤｍ）に対応した貯玉口座の貯玉数に一般カードの現在持玉数を新規登録するものである。更に、管理装置１７０内部のカード管理部１７５Ｃは、持玉ＤＢ１７７Ｃ内の一般カードのカードＩＤに対応した現在持玉数を更新するものである。
【０１４３】
また、精算側制御部１６は、現在持玉数が貯玉可能数以内でない場合（ステップＳ５２否定）、貯玉不可と判断し、カウンタ案内を画面表示すべく、図中のＭ２（ステップＳ５７）に移行する。
【０１４４】
図７に示す第２カード精算貯玉処理では、携帯貯玉モード有効設定中の場合に、一般カードの現在プリペイド残高を精算すると共に、一般カードの遊技客保有の携帯電話機１８０のＩＤｍを取得し、ＩＤｍに対応した会員ＩＤがある場合、かつ、現在持玉数が貯玉可能数以内の場合、ＩＤｍに対応した貯玉口座の貯玉数に、一般カードの現在持玉数を加算更新するようにしたので、遊技客は、一般カードの現在プリペイド残高の精算作業は勿論のこと、現在持玉数の貯玉作業に要する作業負担を大幅に軽減することができる。
【０１４５】
第２カード精算貯玉処理では、携帯貯玉モード有効設定中の場合に、ＩＤｍに対応した会員ＩＤがない場合、ＩＤｍに対応した会員ＩＤを新規作成し、一般カードの現在持玉数をＩＤｍに対応した貯玉口座の貯玉数として登録するようにしたので、会員でなくても、携帯電話機１８０のＩＤｍで新規に仮会員として登録し、その持玉を貯玉することができる。
【０１４６】
第２カード精算貯玉処理では、携帯貯玉モード無効設定中の場合、携帯電話機１８０のかざし操作を受け付けず、一般カードの現在プリペイド残高の精算処理のみを実行するようにしたので、直ぐに携帯貯玉モードを採用する遊技店だけでなく、何れ採用する予定の遊技店にも、通常のカード精算機として十分対応することができる。
【０１４７】
実施例２では、携帯貯玉モードが有効の場合、携帯用リーダライタ部１３の携帯電話機１８０のかざし操作を受け付けると共に、携帯貯玉モードが無効の場合、携帯電話機１８０のかざし操作の受付を禁止するようにしたので、直ぐに携帯貯玉モードを採用する遊技店だけでなく、何れ採用する予定の遊技店にも、通常のカード精算機として十分対応することができる。
【０１４８】
実施例２では、携帯電話機１８０のかざし操作の受付を禁止した場合、残高精算部２２にて現在プリペイド残高数の精算更新後、その一般カードを返却するようにしたので、直ぐに携帯貯玉モードを採用する遊技店だけでなく、何れ採用する予定の遊技店にも、通常のカード精算機として十分対応することができる。
【０１４９】
尚、本実施例では、遊技媒体として、パチンコ遊技台で使用するパチンコ玉を例に挙げて説明したが、パチンコ玉に限定されるものではなく、例えば、パチスロ遊技台で使用するメダルであっても、同様の効果が得られることは言うまでもない。
【０１５０】
また、本実施例では、携帯電話機１８０のＩＤｍに紐付けして持玉数を貯玉するようにしたが、携帯電話機１８０の電話番号等に紐付けにしたとしても、同様の効果が得られることは言うまでもない。
【０１５１】
また、本実施例では、携帯媒体として一般カードの遊技客保有の携帯電話機１８０を例に挙げて説明したが、携帯電話機１８０に限定されるものではなく、個別識別情報を内蔵した汎用的に使用される定期券等のＩＣカードを使用したとしても、同様の効果が得られることは言うまでもない。
【０１５２】
また、本実施例では、一般カード自体に現在プリペイド残高数や現在持玉数を記録することなく、一般カードにカードＩＤを割り当て、管理装置１７０側のカード管理ＤＢ１７７にカードＩＤ単位で現在プリペイド残高数及び現在持玉数を紐付け記憶管理するようにしたが、一般カード自体に現在プリペイド残高数や現在持玉数を持たせるようにしても良く、この場合、カード精算機１０（１０Ａ）内に、一般カードに記録中の現在プリペイド残高精算後の現在プリペイド残高数や、現在持玉数貯玉後の現在持玉数を書換更新するためのカード記録更新部を設けることで、同様の効果が得られることは言うまでもない。
【０１５３】
また、本実施例では、取得した携帯電話機１８０のＩＤｍが会員のものであるか否かを判定するＩＤｍ判定処理、貯玉を実行した場合に貯玉上限を超過するか否かを判定する貯玉上限判定処理についてはカード精算機１０側の精算側制御部１６で実行せず、カード精算機１０で取得した携帯電話機１８０のＩＤｍ及び持玉数を管理装置１７０に通知し、管理装置１７０側でＩＤｍの判定処理及び貯玉上限判定処理を実行し、その判定結果に基づき、貯玉ＯＫ／貯玉ＮＧをカード精算機１７０に通知するようにしても良いことは言うまでもない。
【０１５４】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０１５５】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０１５６】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０１５７】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【産業上の利用可能性】
【０１５８】
上記のように構成された本発明の遊技用記録媒体処理装置では、遊技用記録媒体に記録された現在有価残高数を精算すると共に、前記遊技用記録媒体の保有者に関わる携帯媒体の携帯媒体識別情報を取得した場合、前記携帯媒体識別情報に対応した貯蓄中の貯蓄遊技媒体数に対する、現在保有遊技媒体数の加算更新を指示するようにしたので、遊技客は、遊技用記録媒体の現在有価残高の精算作業及び、現在保有遊技媒体数の貯蓄作業に要する作業負担を大幅に軽減できるため、遊技店内のパチンコ台やパチスロ台に使用するカードのプリペイド残高を精算するカード精算機等に有用である。
【図面の簡単な説明】
【０１５９】
【図１】本発明の遊技用記録媒体処理に関わる実施例１の遊技台管理システム全体の概略構成を示すブロック図である。
【図２】実施例１の遊技台管理システムの管理装置内部の概略構成を示すブロック図である。
【図３】実施例１の管理装置内部の会員管理ＤＢのデータ内容を端的に示す説明図である。
【図４】実施例１の要部であるカード精算機内部の概略構成を示すブロック図である。
【図５】実施例１の一般カード精算貯玉処理に関わるカード精算機内の精算側制御部内部の処理動作を示すフローチャートである。
【図６】実施例２の要部であるカード精算機内部の概略構成を示すブロック図である。
【図７】実施例２の一般カード精算貯玉処理に関わるカード精算機内の精算側制御部内部の処理動作を示すフローチャートである。
【符号の説明】
【０１６０】
１０  カード精算機
１０Ａ  カード精算機
１２  カードリーダ部
１３  携帯用リーダライタ部
１４  タッチパネル部
１６  精算側制御部
２１  精算可能残高判定部
２２  残高精算部
２３  携帯ＩＤｍ検出部
２４  携帯ＩＤｍ判定部
２５  会員情報判定部
２６  貯玉可能判定部
２７  貯玉更新指示部
３１  携帯貯玉モード設定部
３２  受付制御部
１７５Ａ  貯玉管理部
１７６  会員管理ＤＢ
１８０  携帯電話機
【図１】
2010131183.tif 000003
【図２】
2010131183.tif 000004
【図３】
2010131183.tif 000005
【図４】
2010131183.tif 000006
【図５】
2010131183.tif 000007
【図６】
2010131183.tif 000008
【図７】
2010131183.tif 000009